(57)【要約】      （修正有）【課題】意匠性を損なうことなく、センサブロックを照明器具に容易に正しく取り付けることができ、センサの検知範囲を所望の範囲に確実に設定できる照明器具を提供する。【解決手段】照明器具は、器具本体の下方側に取り付けられたセンサ取付部２０及びセンサブロック３０を備える。センサ取付部２０は、下側側面から下側に突出した突出部２３が設けられ、リモコン送信器からの操作信号を受信するリモコン受信部２１設置されている。センサブロック３０は、上側が開口し、内径が突出部２３と略同じ大きさの保持穴３７を有する。センサブロック３０をセンサ取付部２０に取り付ける際には、突出部２３が保持穴３７に挿入することで、突出部２３及び保持穴３７によってセンサブロック３０の取付方向が決定されるとともに、センサブロック３０の前後方向における移動が規制される。【選択図】図１
2011154840.tif 000002
【特許請求の範囲】
【請求項１】
照明ランプを点灯させる点灯回路と、
リモコン送信器からワイアレス信号で送信された点灯制御信号を受信するリモコン受信部と、
点灯制御用のセンサを具備したセンサブロックとを備え、
器具本体には、
前記センサブロックを脱着自在に取り付けるためのセンサ取付部と、
前記センサ取付部の表面から突出し、先端部に前記リモコン受信部を有する突出部とが設けられ、
前記センサブロックは、
前記前記センサによる検知信号を前記点灯回路に伝達するための導通部と、
前記突出部と対向する位置に前記突出部と略同一の大きさに開口する保持穴とを有し、
前記センサブロックは、前記保持穴に前記突出部が挿入された状態で、前記突出部を覆うようにして前記センサ取付部に取り付けられ、前記センサ取付部に保持されることを特徴とする照明器具。
【請求項２】
前記センサブロックには、前記センサ取付部側に向かって突出し、前記センサ取付部に設けられた係止穴に挿入して係止させる係止部が設けたことを特徴とする請求項１記載の照明器具。
【請求項３】
前記係止穴及び前記係止部は、複数組設けられ、前記センサ取付部及び前記センサブロックにおける所定の方向に沿って設けられたことを特徴とする請求項２記載の照明器具。
【請求項４】
前記係止穴及び前記係止部は、複数組設けられ、複数の係止穴は互いに大きさが異なり、前記係止部は、それぞれ対応する係止穴の大きさに合わせた大きさに設定されていることを特徴とする請求項２又は３の何れか一項に記載の照明器具。
【請求項５】
前記センサブロックは、前記係止部の周囲が前記係止部の突出方向に沿って切り取られたスリットを備えることを特徴とする請求項２〜４の何れか一項に記載の照明器具。
【発明の詳細な説明】
【技術分野】
【０００１】
本発明は、脱着可能なセンサを有する照明器具に関する。
【背景技術】
【０００２】
従来、人感センサや明るさセンサを内蔵し、人の検知・非検知や周囲の明るさに基づいて、照明ランプの点灯・消灯の切替えや、調光レベルの調整を行う照明器具がある。この種の照明器具においては、例えばセンサの無い一般の照明器具が設置されている執務空間の一部をレイアウト変更によって通路に変更する場合に、人の通過によって照明器具を自動点灯させたい時は、照明器具全体を交換する必要があった。このため、照明器具の交換にかかる手間や、コストに無駄が発生するという問題があった。
【０００３】
そこで上述の問題点を解決するために、センサ機能などを有する機能プラグと、この機能プラグを挿抜できる取付部とを備え、用途に応じて機能プラグを差し替えることを可能とした照明器具が提案されている（例えば、特許文献１を参照）。
【０００４】
またこの種の照明器具としては、図５に示すような照明器具があり、光源として例えば蛍光ランプ１１が取り付けられた器具本体１０と、照明ランプ１１の点灯・消灯を制御する点灯回路が内蔵されたセンサ取付部２０を備える。またこの照明器具は、センサ取付部２０に着脱自在に取り付けられるセンサブロック３０を備え、センサブロック３０には人感センサ３１及び明るさセンサ３２が設けられている。
【０００５】
センサブロック３０は、センサブロック３０に内蔵される電子回路（図示せず）の動作電力を受電するための導通部３３を備え、センサ取付部２０に設けられた導通部２２と電気的に接続する。これにより、センサブロック３０の各センサ３１、３２は、人や明るさを検知すると、その検知内容に応じたセンサ信号をセンサ取付部２０の点灯回路に出力する。
【０００６】
また、この照明器具は、照明ランプ１１の点灯、消灯を遠隔から操作するためのリモコン送信器（図示せず）を備え、リモコン送信器からの操作信号を受信するためのリモコン受信部２１がセンサ取付部２０の表面に設けられている。センサブロック３０には、センサ取付部２０のリモコン受信部２１と対向する位置に、丸穴よりなる開口部３４が設けられ、センサブロック３０をセンサ取付部２０に取り付けた状態であっても、操作信号をセンサ取付部２０が受信することができる。
【先行技術文献】
【特許文献】
【０００７】
【特許文献１】特開２００２−１１０３７６号公報
【発明の概要】
【発明が解決しようとする課題】
【０００８】
しかしながら、図５に示した照明器具においては、センサブロック３０の取付方向を誤って取り付けられる恐れがあった。このため、外観上はセンサブロック３０がセンサ取付部に正常に取り付けられているにも関わらず、導通部２２、３３が電気的に正常に接続されないために、各種センサが動作せず、また、リモコン受信部２１で操作信号を受信できないという問題があった。
【０００９】
また、センサブロック３０の取り付け作業が雑に行われるなどして、センサブロック３０が傾いた状態で取り付けられと、各センサに基づいて点灯、消灯の切替えなどは行われるものの、センサの検知範囲が意図しない範囲に設定されるという可能性があった。また、正常にセンサブロック３０がセンサ取付部２０に取り付けられた場合であっても、地震などの揺れによって、センサブロック３０の向きや傾きが変わってしまう可能性があった。
【００１０】
更に、センサブロック３０をリモコン受信部２１に取り付けると、センサブロック３０を取り付けない場合と比べ、センサブロック３０で遮蔽される分だけ、リモコン受信部２１がリモコン送信器の操作信号を検知できる検知範囲が狭くなるという問題があった。これは、図６に示すように、リモコン受信部２１をセンサブロック３０側に突出させることで回避できるが、センサブロック３０とセンサ取付部２１の境界線が表面に出るため、意匠性が低下し、またその隙間に埃などが溜まりやすいという問題があった。
【００１１】
本発明は、上記事由に鑑みて為されたものであり、その目的とするところは、意匠性を損なわず、センサブロックを照明器具に容易に正しく取り付けることができ、センサの検知範囲を所望の範囲に確実に設定できる照明器具を提供することにある。
【課題を解決するための手段】
【００１２】
上記目的を達成するために、請求項１の発明では、照明ランプを点灯させる点灯回路と、リモコン送信器からワイアレス信号で送信された点灯制御信号を受信するリモコン受信部と、点灯制御用のセンサを具備したセンサブロックとを備え、器具本体には、前記センサブロックを脱着自在に取り付けるためのセンサ取付部と、前記センサ取付部の表面から突出し、先端部に前記リモコン受信部を有する突出部とが設けられ、前記センサブロックは、前記前記センサによる検知信号を前記点灯回路に伝達するための導通部と、前記突出部と対向する位置に前記突出部と略同一の大きさに開口する保持穴とを有し、前記センサブロックは、前記保持穴に前記突出部が挿入された状態で、前記突出部を覆うようにして前記センサ取付部に取り付けられ、前記センサ取付部に保持されることを特徴とする。
【００１３】
請求項２の発明では、請求項１記載の発明において、前記センサブロックには、前記センサ取付部側に向かって突出し、前記センサ取付部に設けられた係止穴に挿入して係止させる係止部が設けたことを特徴とする。
【００１４】
請求項３の発明では、請求項２記載の発明において、前記係止穴及び前記係止部は、複数組設けられ、前記センサ取付部及び前記センサブロックにおける所定の方向に沿って設けられたことを特徴とする。
【００１５】
請求項４の発明では、請求項２又は３の何れか一項に記載の発明において、前記係止穴及び前記係止部は、複数組設けられ、複数の係止穴は互いに大きさが異なり、前記係止部は、それぞれ対応する係止穴の大きさに合わせた大きさに設定されていることを特徴とする。
【００１６】
請求項５の発明では、請求項２〜４の何れか一項に記載の発明において、前記センサブロックは、前記係止部の周囲が前記係止部の突出方向に沿って切り取られたスリットを備えることを特徴とする。
【発明の効果】
【００１７】
請求項１の発明によれば、センサブロックの保持穴にセンサ取付部の突出部を挿入して、センサブロックをセンサ取付部に取り付けるので、突出部によってセンサブロックの取付方向が定まり、取付方向を誤って取り付けることを低減できる。また、センサブロックの保持部は、突出部と略同じ大きさに設定されているので、保持部によってセンサブロックの移動が規制される。これにより、センサブロックの傾きを抑制して位置決めされるから、各種センサの検知範囲が意図しない範囲に設定されてしまうことを低減することができる。また、センサブロックは突出部を覆うようにして取り付けられるので、センサブロックとセンサ取付部との間の境界線が表面に現れず、意匠性が低下することを防ぐことができる。
【００１８】
請求項２の発明によれば、センサブロックの爪部とセンサ取付部の係止穴が嵌合することで、センサブロックは、センサ取付部に取り付けられるとともに保持され、各センサの検知範囲が意図しない範囲に設定されてしまうことを低減することができる。
【００１９】
請求項３の発明によれば、センサ取付部及びセンサブロックの所定の方向に沿って、係止穴及び爪部が設けられているので、取り付け及び取り外しにかかる手間を低減することができる。
【００２０】
請求項４の発明によれば、センサ取付部に設けられた複数の係止穴の大きさが異なり、それに対応する大きさに各爪部が形成されているので、取り付け方向を誤って取り付けることをより低減することができる。
【００２１】
請求項５の発明によれば、センサブロックにおける爪部の周囲には、爪部の突出方向に沿ってスリットが設けられているので、外側から爪部の周囲を押して爪部と係止穴との嵌合状態を解除する際に必要な力を減らし、容易に取り外すことができる。
【図面の簡単な説明】
【００２２】
【図１】本発明の実施の形態１にかかる照明器具の要部をそれぞれ示す斜視図である。
【図２】同照明器具に用いられるダミーブロックを示す斜視図である。
【図３】同照明器具を示す概略ブロック図である。
【図４】同照明器具における要部の他例を示す斜視図である。
【図５】同照明器具における要部のさらに他例を示す斜視図である。
【図６】従来の照明器具を示す斜視図であり、（ａ）は照明器具全体を示し、（ｂ）は要部を示している。
【図７】従来の照明器具の他例を示す斜視図である。
【発明を実施するための形態】
【００２３】
以下に本発明の実施の形態を図面に基づいて説明する。
【００２４】
（実施の形態１）
本実施の形態にかかる照明器具を図１〜図３を用いて説明を行う。なお、以下の説明においては、図１（ａ）における上下左右を照明器具の上下左右とし、左右方向及び上下方向とそれぞれ直交する方向を前後方向として説明を行う。
【００２５】
本実施の形態にかかる照明器具は、図５に示す従来の照明器具と同様に、光源として例えば蛍光灯などの照明ランプ１１が取り付けられた略矩形状の器具本体１０と、器具本体１０の下方側に取り付けられたセンサ取付部２０及びセンサブロック３０とを備える。また、この照明器具は、図２に示すダミーブロック４０を備えており、その使用目的に応じて、センサブロック３０及びダミーブロック４０のうちいずれか一方をセンサ取付部２０に取り付けて使用する。
【００２６】
器具本体１０には、図３に示すとおり、照明ランプ１１の点灯電力を供給する点灯回路１２と、点灯回路１２を介して照明ランプ１１の点灯、消灯の切替えや、調光レベルの調整などの点灯制御を行う制御部１３とを備える。制御部１３は、後述するリモコン受信部２１からの操作信号や、人感センサ３１及び明るさセンサ３２からのセンサ信号に基づいて、照明ランプ１１の点灯制御を行う。
【００２７】
センサ取付部２０は、図１（ａ）に示すように、左右方向を長辺とする略立方体に形成されており、下側側面の右端付近が下側に突出した角柱状の突出部２３が設けられている。また、リモコン送信器５０からの操作信号を受信するためのリモコン受信部２１が突出部２３の下側表面に設置されている。
【００２８】
またセンサ取付部２０は、センサブロック３０にその動作電力を供給するとともに、センサブロック３０からのセンサ信号入力を受けるための導通部２２を下側側面に備える。センサブロック３０からのセンサ信号入力は、導通部２２を介して点灯回路に入力され、入力されたセンサ信号に基づいて、照明ランプ１１の点灯・消灯の切替えや、調光レベルの調整が行われる。
【００２９】
またセンサ取付部２０の下側側面には、後述するセンサブロック３０の爪部３４ａ、３４ｂがそれぞれ挿入され、センサブロック３０を保持するための係止穴２４ａ、２４ｂが、左右方向の略中央に設けられている。各係止穴２４ａ、２４ｂは、センサ取付部２０の左右方向を長辺とする矩形穴からなり、センサブロック３０の前後方向における端から、やや内側に入った位置に設置されている。
【００３０】
センサブロック３０は、図１（ｂ）に示すように、センサ取付部２０と略同一の大きさに形成されており、その下側側面には、人感センサ３１及び明るさセンサ３２が設けられている。各センサ３１、３２は、センサ取付部２０にセンサブロック３０が取り付けられた状態において、照明エリア及びその周囲にその検知領域が設定されている。また、センサブロック３０の上側側面のうち、導通部２２と対向する位置には、導通部２２と電気的に接続される導通部３３が設けられている。これにより、各センサ３１、３２は、その動作電力を導通部２２、３３を介して受電し、人の動きや周囲の明るさを検知してセンサ信号をセンサ取付部２０の点灯回路に出力する。
【００３１】
また、センサブロック３０の上側面には、センサブロック３０の上側に開口し、その開口からセンサ取付部２０の突出部２３が挿入され、突出部２３の外周と略同じ大きさに設定された保持穴３７が設けられている。保持穴３７の内壁は、センサブロック３０をセンサ取付部２０に取り付ける際において、突出部２３を挿入する際のガイドとして機能する。また、保持穴３７に突出部２３を挿入して、センサブロック３０をセンサ取付部２０に取り付けると、保持穴３７の内壁が突出部２３の側壁と当接して、センサブロック３０の前後方向における移動を規制する。これにより、センサブロック３０をセンサ取付部２０に取り付けることで、各センサ３１、３２の検知範囲が予め設定した範囲に確実に設定される。
【００３２】
また保持穴３７には、センサブロック３０の下側に貫通する貫通孔３７ａ、３７が設けられており、リモコン送信器５０から送信された操作信号が、リモコン受信部２１により確実に受信できるようになっている。
【００３３】
センサブロック３０は、係止穴２４ａ、２４ｂとそれぞれ対向する位置に、センサブロック３０の上方側に突出した爪部３４ａ、３４ｂを有する。各爪部３４は、上端が略三角錐状に形成された係止部３５を有し、爪部３４の左右方向における周囲には、センサブロック３０の側壁を上下方向に切り欠いたスリット３６、３６が設けられている。
【００３４】
センサブロック３０をセンサ取付部２０に取り付ける際は、保持穴３７の開口に突出部２１を挿入した状態で、各爪部３４の先端を対応する係止穴２４に挿入し、下側から上方向にセンサブロック３０を押し上げる。これにより、爪部３４の係止部３５が係止穴２４に当たり、爪部３４は内側方向に押されて撓み、爪部３４の全体が係止穴２４に挿入される。爪部３４の全体が係止穴２４に挿入されると、係止部３５が係止穴２４と当たることで加わっていた力が無くなり、爪部３４の復帰力によって、爪部３４の係止部３５はやや外側に移動する。これにより、係止部３５は係止穴２４の周囲の内壁によって係止され、センサブロック３０はセンサ取付部２０によって保持される。
【００３５】
このようにして、センサブロック３０をセンサ取付部２０に取り付ける際には、突出部２３を保持穴３７に挿入するので、取付方向を誤って取り付けることが無い。また、保持穴３７の内壁と突出部２３によってセンサブロック３０の前後左右方向の移動が規制され、各センサ３１、３２の検知範囲が意図しない範囲に設定されてしまうことを低減することができる。また、突出部２３はセンサブロック３０によって覆われ、センサブロック３０とセンサ取付部２０との境界線が表面に現れないので、意匠性が低下することを抑制することができる。
【００３６】
また、センサブロック３０をセンサ取付部２０から取り外す際には、各爪部３４の周囲を内側に押すと、爪部３４が内側に撓んで係止部３５による係止が解除され、センサブロック３０を下側に引っ張ることで取り外しが行える。このとき、爪部３４の左右には、スリット３６が設けられているので、爪部３４を外側から押す力が小さくて済み、容易にセンサブロック３０をセンサ取付部２０から取り外すことができる。
【００３７】
ダミーブロック４０は、センサブロック３０と略同形状に形成されており、突出部２１を挿入して保持する保持部４１と、係止穴２４ａ、２４ｂと嵌合してダミーブロック４０をセンサ取付部２０に保持させるための爪部４２ａ、４２ｂを有する。爪部４２ａ、４２ｂの左右にはスリット４３、４３がそれぞれ設けられており、ダミーブロック４０をセンサ取付部２０から取り外すことを容易にしている。
【００３８】
これにより、本実施の形態にかかる照明器具を、センサを用いない通常の照明器具として用いる際には、センサブロック３０の代わりにダミーブロック４０を取り付けることにより、意匠性が低下することを防ぐことができる。
【００３９】
なお、図３に示すように、センサ取付部２０の係止穴２４ａ、２４ｂを、左右方向における幅をそれぞれ違う長さに設定するようにし、爪部３４ａ、３４ｂをそれぞれ対応する係止穴２４ａ、２４ｂの長さにあわせた形状に形成するようにしてもよい。なお、係止穴２４ａは係止穴２４ｂよりも短く、且つ、爪部３４ｂが係止穴３４ａに挿入できない程度の幅に設定している。このようにすることで、センサブロック３０の取付方向を誤って取り付けることをさらに防ぐことができる。
【００４０】
また、図４に示すように、センサ取付部２０の前後方向を長辺とする係止穴２４ｃを設け、センサブロック３０には、係止穴２４ｃと対応する位置に爪部３４ａ、３４ｂと略同形状の爪部３４ｃを設けるようにしてもよい。このようにすることで、センサブロック３０の取付方向を誤って取り付けることを防ぐとともに、センサブロック３０がセンサ取付部２０に取り付けられた際の取付強度を高めて、センサブロック３０がセンサ取付部２０から外れ落ちることを防止できる。
【符号の説明】
【００４１】
１０        器具本体
２０        センサ取付部
２１        リモコン受信部
２２        導通部
２３        突出部
３０        センサブロック
３３        導通部
３７        保持穴
４０        ダミーブロック
【図１】
2011154840.tif 000003
【図２】
2011154840.tif 000004
【図３】
2011154840.tif 000005
【図４】
2011154840.tif 000006
【図５】
2011154840.tif 000007
【図６】
2011154840.tif 000008
【図７】
2011154840.tif 000009